(57)【要約】      （修正有）【課題】薄型表示装置において、表示画面の大型化や横長画面の実用化に伴い、表示画面周辺に配設された指向性を有する表示灯が斜め方向から見られる場合が多くなり、該表示灯の視認性改善手段を提供する。【解決手段】電子機器内に組み込まれた発光ダイオードチップ７などの点光源からの光線束を導光体１１の光入射面１１ａで受光し、該光線束を光出射面１１ｂから出射させる導光体１１の該光出射面１１ｂを該電子機器の前キャビネットの外面から突出させ、突出させた該導光体１１の光軸に回転対称軸を一致させた放物面状または球面状の凹面を該前キャビネットの外面に形成する。【選択図】図４
2007147678.tif 000002
【特許請求の範囲】
【請求項１】
電子機器内に組み込まれた発光素子と、光入射面および光出射面を有する導光体により構成される表示灯において、該導光体の該光出射面を該電子機器の筐体外面より突出させたことを特徴とする表示灯。
【請求項２】
請求項１に記載の表示灯において、筐体外面から光出射面を突出させた導光体の光軸に回転対称軸を一致させた凹面を、該筐体外面に形成したことを特徴とする表示灯。
【請求項３】
請求項２に記載の表示灯において、筐体外面から光出射面を突出させた導光体の光軸に、放物面状または球面状に形成した凹面の回転対称軸を一致させたことを特徴とする表示灯。
【請求項４】
請求項３に記載の表示灯において、筐体外面から光出射面を突出させた導光体の光軸と、放物面状または球面状に形成した凹面の回転対称軸間に、オフセット角度を設けたことを特徴とする表示灯。
【請求項５】
請求項１乃至４のいずれかに記載の表示灯において、筐体外面から突出させた導光体の光軸を含む該筐体外面を光沢仕上げとしたことを特徴とする表示灯。
【発明の詳細な説明】
【技術分野】
【０００１】
本発明は、電子機器において、光の点滅や色により該電子機器の使用者に動作状態を報知するための表示灯に関し、詳しくは製品外観の意匠デザインに制約を加えることなく、視認性の優れた表示灯の実現手段に関する。
【背景技術】
【０００２】
従来、液晶表示パネルを表示素子とする液晶テレビや液晶ディスプレイでは表示画面の中心を通る法線から離れた角度と位置からの表示画面観視においては、該表示画面の明るさやコントラストが低下するなど視野角度が狭い弱点を有していたが、近時、液晶技術の目覚しい発展により、表示画面中心を通る法線から上下および左右方向に離れた位置からも良好な画像品位を維持し、視野角度は１７０度に達し、過去に弱点とされてきた視野角度に関する問題は完全に払拭された。表示画面の広視野角化に加え、表示画面の大型化やハイビジョンテレビ規格などの横長表示画面の実用化に伴い、表示画面の周辺部に配設された指向性を有する表示灯が斜め方向から見られる場合が多くなり、該表示灯の視認性の改善が必要となっている。
【０００３】
図５は、表示灯部分の従来例を示し、図５（ａ）は、本発明を説明する図１における液晶テレビの切断線Ａ−Ａに沿って切断した場合に相当する従来例の縦断面図であり、図５（ｂ）は、図５（ａ）中に破線で示す表示灯部分の拡大図である。液晶テレビが具備する大型表示画面とフラット画面を特徴とする技術先進性と共に、表示画面周辺を取り囲む額縁状の前キャビネット２２の幅を狭くし表示灯を可及的に小さく見せることにより、より大型画面を強調する等の意匠デザイン面での先進性をも訴求している。このため、表示灯は図５（ａ）に示すごとく前キャビネット２２内部の狭隘な空間に組み込まれ、小型の発光ダイオードチップ７を搭載した印刷配線基板６を前キャビネット２２の至近位置に配設することが困難で、発光ダイオードチップ７と前キャビネット２２の前面の間には、光透過性能の優れた部材で構成される導光体１１の光出射部１１ｅを、該前キャビネット２２に穿設された導光体挿通孔２２ａに挿通し、該導光体１１と一体に形成されたフランジ部１１ｆを介し該前キャビネット２２に取り付けている。
【０００４】
表示灯の明るさを増大させ視認性を改善する手段としては、特許文献１に見られるごとく、発光体に対向して平行配置した凸レンズの光入射面の中心部を平面とする発明がなされているが、表示灯の光出射部となる導光体の出射面を小さく形成したにも拘らず、表示灯点灯時には点灯領域を広く見せることにより該表示灯の視認性を向上させる本発明の目的および効果とは異なるものである。
【特許文献１】特開平６−２８９７９７号公報
【発明の開示】
【発明が解決しようとする課題】
【０００５】
薄型表示装置において、表示画面の大型化や横長画面の実用化に伴い、表示画面周辺部に配設された指向性を有する表示灯が斜め方向から見られる場合が多くなり、該表示灯の視認性改善手段を提供する。
【課題を解決するための手段】
【０００６】
電子機器内に組み込まれた発光素子からの光線束を、光入射面で受光し光出射面から出射させる導光体の該光出射面を、該電子機器の筐体外面から突出させる。
【０００７】
前記表示灯において、光出射面を筐体外面から突出させた導光体の光軸に回転対称軸を一致させた凹面を該筐体外面に形成する。
【０００８】
前記表示灯において、光出射面を筐体外面から突出させた導光体の光軸に、放物面状または球面状の凹面の回転対称軸を一致させ形成する。
【０００９】
前記表示灯において、光出射面を筐体外面から突出させた導光体の光軸と放物面状または球面状の凹面の回転対称軸間にオフセット角度を設ける。
【００１０】
前記表示灯のいずれかにおいて、光出射面を筐体外面から突出させた導光体の光軸を含む該筐体外面を光沢仕上げとする。
【発明の効果】
【００１１】
電子機器内に組み込まれた発光素子からの光線束を光入射面で受光し光出射面から出射させる導光体の該光出射面を該電子機器のキャビネット外面から突出させ、該導光体の光軸に回転対称軸を一致させた凹面を該キャビネット外面に形成することにより、該導光体の狭小な出射面からの出射光に加え、広い面積の該凹面からの反射光により表示灯としての報知機能を向上させ、該電子機器使用者が容易に該電子機器の動作状態を認知することが可能となった。
【００１２】
前記表示灯において、光出射面をキャビネット外面から突出させた該導光体の光軸に、放物面状または球面状に形成した凹面の回転対称軸を一致させることにより、該凹面からの出射光の出射領域が広くなり、必要とする表示画面の正面方向への表示灯の明るさを向上させることが可能となる。
【００１３】
前記の表示灯において、光出射面をキャビネット外面から突出させた該導光体の光軸と放物面状または球面状に形成した凹面の回転対称軸間にオフセット角度を設けることにより、必要とする光出射方向へ選択的に表示灯の明るさを向上させることが可能となる。
【００１４】
前記表示灯のいずれかにおいて、光出射面をキャビネットの外面から突出させた該導光体の光軸を含みキャビネット外面を光沢仕上げとすることにより、該キャビネットの外面による光反射性能が改善され表示灯の明るさを向上させることが可能となる。
【発明を実施するための最良の形態】
【００１５】
図に基づいて本発明の実施形態を液晶テレビに適用した場合に関し、以下に説明する。図１は本発明に係わる液晶テレビの外観正面図で、１は画像表示を行う液晶表示パネル、２は前キャビネット、３はスピーカユニット、４は該液晶テレビの動作状態を光の点滅や色によりテレビ使用者に報知するための表示灯、５は液晶テレビを卓上型として使用するためのスタンドである。
【００１６】
図２（ａ）は、図１中に鎖線Ａ−Ａで示す切断線に沿って切断した縦断面図、図２（ｂ）は図２（ａ）中に破線で示す表示灯部分の本発明の拡大図である。液晶テレビは大型表示画面とフラット画面を特徴とする技術先進性と共に、表示画面周辺を取り囲む額縁状の前キャビネット２の幅を狭くし、さらには表示灯を可及的に小さく見せることにより、より大型画面を強調する等の意匠デザイン面での先進性をも訴求している。
【００１７】
前記理由により、発光ダイオードチップ７を搭載した印刷配線基板６を狭隘な空間を形成する前キャビネット２背面の至近位置に配設することが困難で、図２（ｂ）に示すごとく、発光ダイオードチップ７と前キャビネット２の前面の間に、光透過性の優れた部材により構成された導光体１１の光出射部１１ｅを、該前キャビネット２に穿設された導光体挿通孔２ａに挿通し、該導光体１１と一体に形成されたフランジ部１１ｆを介し該前キャビネット２に取り付けている。
【００１８】
導光体１１先端の狭小な光出射面１１ｂを前キャビネット２の前面の凹部２ｂから突出させ、該凹部２ｂの底面に凹面２ｃを形成している。該導光体１１先端の光出射面１１ｂは、該光出射面１１ｂからの出射光を散乱させるために微細な凹凸形状を有するダイアカット面が形成され、表示灯としての光を前キャビネット２の前面に出射している。該導光体１１先端の光出射面１１ｂは、意匠デザイン面での先進性を訴求する意図から小さくデザインされ、視認性の点が課題となる。
【００１９】
図３は表示灯部分の分解斜視図である。異なる発光色の第１の発光点７ｂおよび第２の発光点７ｃを具備する発光ダイオードチップ７の半田付け端子７ａが、前キャビネットへの取り付け用螺子挿通孔６ａを有する印刷配線基板６に半田付けされ、該発光ダイオードチップ７からの光線束は該発光ダイオードチップ７に対向して配設された導光体１１の光入射面１１ａから該導光体１１の光入射部１１ｃ、錐体部１１ｄおよび光出射部１１ｅを順次に透過し、導光体１１先端の光出射面１１ｂから空間に光を出射するが、該光出射面１１ｂからの出射光を分散させるため、光出射面１１ｂには微細な凹凸形状を有するダイアカット加工が施されている。
【００２０】
図４は導光体１１と前キャビネットの凹面部分の縦断面拡大図で、図４（ａ）は凹面を放物面状に、図４（ｂ）は凹面を球面状に、図４（ｃ）は凹面の回転対称軸を導光体の光軸とオフセットさせ形成した状態を示している。図４（ａ）に示すごとく前キャビネットの前面に形成された凹面１２を放物面状とし、放物面状の該凹面１２の焦点位置に導光体１１の光出射面１１ｂを配設すると、該導光体１１の光出射面１１ｂのダイアカット面で乱反射され、光線束は該凹面１２により反射され平行光線束となり前キャビネットの前面に向かって出射される。このため、観視者は導光体１１の光出射面１１ｂからの光線束のみならず凹面１２の広い領域からの光線束を視認するにより、容易に液晶テレビの動作状態を把握することが可能となる。
【００２１】
図４（ｂ）は、凹面１３を球面状に形成した場合で、導光体１１の光出射面１１ｂのダイアカット面で乱反射された光線束は該凹面１３により反射された光線束は前キャビネットの前面に向かって広い角度で出射される。このため、観視者は導光体１１の光出射面１１ｂからの光線束のみならず凹面１３からの広い領域からの光線束を視認することにより、容易に液晶テレビの動作状態を把握することが出来る。
【００２２】
図４（ｃ）は放物面状の凹面１４の回転対称軸と導光体１１の光軸との関係を角度αだけオフセットさせるよう該凹面１４を前キャビネット前面に形成した状態を示している。放物面状の凹面１４の焦点位置に配設された導光体１１の光出射面１１ｂのダイアカット面で乱反射された光線束は該凹面１４により反射され平行光線束となり前キャビネットの前面に向かって出射される点では図４（ａ）に示す放物面状の凹面１２と同様であるが、放物面状の凹面１４の回転対称軸と導光体１１の光軸との関係が角度αだけオフセットされているため凹面１４により反射される光線束の中心は、放物面状の凹面１４の回転対称軸方向に強く出射され、必要な方向に選択的、且つ集中的に光線束を出射することが可能となる。図４（ｃ）に示すごとく凹面１４の回転対称軸と導光体の光軸をオフセットさせることにより凹面１４から反射される光線束の中心線の調整が可能となることは、凹面が球面状である場合にも全く同様である。光線束の中心線の調整が可能となることから、例えば液晶テレビのインチサイズに対する一般的な視聴距離をもとに、インチサイズ毎にキャビネット設計によりオフセット角度を調整することで光線束の中心線を視聴者の顔の方向に向け、より小さな光出射面と凹面にても表示体の視認性を確保することが可能となり、また意匠デザイン面での設計選択度が広げられることになる。
【００２３】
以上、図４（ａ）乃至図４（ｃ）に基づき導光体１１の光出射面１１ｂからの光線束を前キャビネットに形成された凹面１２乃至１４により反射屈折させることにより、観視者に対する表示灯の報知機能を向上させる手段を述べているが、該凹面１２乃至１４を鏡面仕上げとするよう前キャビネットの成型金型を製作するか、または該前キャビネットを成型後に光沢塗装を施し、該凹面１２乃至１４による光反射率の向上を図ることにより表示灯の報知機能の一層の向上を実現することが可能である。
【図面の簡単な説明】
【００２４】
【図１】本発明に係わる液晶テレビの外観前面図である。
【図２】図２（ａ）は、図１中の切断線Ａ−Ａに沿って切断した縦断面図、図２（ｂ）は図２（ａ）中に破線で示す表示灯部分の本発明の拡大図である。
【図３】表示灯部分の分解斜視図である。
【図４】導光体と前キャビネットの凹面部分の縦断面の拡大図で、図４（ａ）は凹面を放物面状に、図４（ｂ）は凹面を球面状に、図４（ｃ）は凹面の回転対称軸を導光体の光軸とオフセットさせ形成した状態を示している。
【図５】表示灯部分の従来例を示し、図５（ａ）は、図１中の切断線Ａ−Ａに沿って切断した縦断面図、図５（ｂ）は図５（ａ）中に破線で示す表示灯部分の拡大図である。
【符号の説明】
【００２５】
１：  液晶表示パネル
２：  前キャビネット
２ａ：  導光体挿通孔
２ｂ：  凹部
２ｃ：  凹面
３：  スピーカユニット
４：  表示灯
５：  スタンド
６：  印刷配線基板
６ａ：  取り付け孔
７：  発光ダイオード（ＬＥＤ）チップ
７ａ：  半田付け端子
７ｂ：  第１の発光点
７ｃ：  第２の発光点  
１１：  導光体
１１ａ：  光入射面  
１１ｂ：  光出射面
１１ｃ：  光入射部
１１ｄ：  錐体部
１１ｅ：  光出射部
１１ｆ：  フランジ部
１２：  放物面
１３：  球面
１４：  放物面
２２：  前キャビネット
２２ａ：  導光体挿通孔
【図１】
2007147678.tif 000003
【図２】
2007147678.tif 000004
【図３】
2007147678.tif 000005
【図４】
2007147678.tif 000006
【図５】
2007147678.tif 000007